(57)【特許請求の範囲】
【請求項１】
上方に開口部を有するとともに、この開口部近傍の外壁面に対向してそれぞれ一対の軸受部が形成された容器本体と、この容器本体の開口部を覆う蓋本体および蓋本体の周縁に連続して形成され、容器本体の開口部外壁面を外側から囲繞するスカート部からなる蓋と、容器本体の軸受部に回動自在に軸支されたロック機構本体およびロック機構本体に形成され、容器本体の開口部を塞いだ蓋の周縁の一部を係止して蓋を閉鎖状態に固定する係止爪からなるロック機構とを備えたごみ容器において、少なくとも一方の軸受部は切り欠かれて略垂直な当接面および略水平な係合面が形成され、一方、ロック機構本体には、軸受部の当接面に当接可能な係合突起が設けられ、ロック機構本体を容器本体の開口部から離れる方向に回動させた際、ロック機構本体の係合突起と軸受部の当接面とが当接してロック機構本体を略水平状態に支持することを特徴とするごみ容器。
【請求項２】
前記軸受部に形成された係合面には、蓋のスカート部の端縁を係止可能な係止部が形成されている請求項１記載のごみ容器。
【請求項３】
上方に開口部を有するとともに、この開口部近傍の外壁面に対向してそれぞれ一対の軸受部が形成された容器本体と、この容器本体の開口部を覆う蓋本体および蓋本体の周縁に連続して形成され、容器本体の開口部外壁面を外側から囲繞するスカート部からなる蓋と、容器本体の軸受部に回動自在に軸支されたロック機構本体およびロック機構本体に形成され、容器本体の開口部を塞いだ蓋の周縁の一部を係止して蓋を閉鎖状態に固定する係止爪からなるロック機構とを備えたごみ容器において、ロック機構本体には軸受部の前面に当接可能な係合突起が設けられ、ロック機構本体を容器本体の開口部方向に回動させた際、ロック機構本体の係合突起と軸受部の前面とが当接してロック機構本体を略垂直状態に支持することを特徴とするごみ容器。
【発明の詳細な説明】
【０００１】
【発明の属する技術分野】
本発明は、ごみ容器に関するものである。
【０００２】
【従来の技術】
従来より、屋外に設置されるごみ容器として、実開平３−５５９０３号公報に記載されるように、蓋に容器本体とのロック機構を設けたごみ容器や、図８および図９に示すように、容器本体にロック機構を設けたごみ容器が知られている。
【０００３】
すなわち、ごみ容器１１は、容器本体１２と、容器本体１２の上方開口部を開閉自在に覆う蓋１３と、蓋１３を容器本体１２の上方開口部を塞いだ状態で固定するロック機構１４とを備えている。そして、ロック機構１４が設けられていることにより、ごみ容器１１が倒れても蓋１３が外れて容器本体１２内に収容されたごみが漏出しないようにしている。
【０００４】
ところで、蓋１３を開けてごみを容器本体１２に収容する場合、通常、蓋１３は容器本体１２やごみ容器１１近傍の壁などに沿わせて立て掛けたり、ロック機構１４に吊り下げるようにしている。
【０００５】
しかしながら、ごみ容器１１は、一般に、全体がプラスチックにより成形されており、軽量であるため、少しの風でも立て掛けた蓋１３が倒れたり、ロック機構１４から外れて地面に落ちる結果、地面が乾いている場合は、問題はないが、雨の後など地面が濡れている場合、蓋１３が泥で汚れてしまうという問題があった。
【０００６】
このため、出願人は、蓋を開放した際、蓋を容器本体に係合させて蓋が地面に落ちることなく保持することができるごみ容器を提案している。
【０００７】
まず、この出願人が提案しているごみ容器について、図４乃至図７に基づいて説明する。
【０００８】
このごみ容器１は、容器本体２と、蓋３と、二つのロック機構４から構成されている。
【０００９】
容器本体２は、上方に開口部２ａを有して断面略方形に形成され、この開口部２ａ周縁の対角位置には、それぞれ軸受部となる一対の補強リブ（ネスティングリブ）２１が設けられている。そして、この補強リブ２１には、後述する蓋３のスカート部３２の端縁が係合可能な係合凹部２１ａが形成されている。
【００１０】
蓋３は、容器本体２の開口部２ａを覆う蓋本体３１と、この蓋本体３１の周縁に連続して形成され、容器本体２の開口部２ａの外壁面を外側から囲繞するスカート部３２からなり、このスカート部３２には、補強リブ２１に形成された係合凹部２１ａに係合させる際の目印となる切欠部３２ａが形成されている（図７参照）。
【００１１】
ロック機構４は、図５および図６に示すように、断面略Ｌ字状のロック機構本体４１と、このロック機構本体４１の長辺部分４１ａの端部に設けられた係止爪４２からなり、ロック機構本体４１の短辺部分４１ｂが補強リブ２１，２１間に位置し、軸４３を介して補強リブ２１に回動自在に軸支されている。そして、ロック機構本体４１は、容器本体２の開口部２ａから離れる方向に回動させた際、短辺部分４１ｂの外側面が容器本体２の外壁面に当接し、長辺部分４１ａが略水平に支持されるようになっている。
【００１２】
このように構成したごみ容器１においては、蓋３によって容器本体２の開口部２ａを覆い、ロック機構本体４１を容器本体２の開口部２ａに近づくように回動させると、係止爪４２が蓋本体３１の周縁を係止し、蓋３が開口部２ａを覆った状態で固定されるようになっている。
【００１３】
一方、蓋３を開放した場合は、図５に示すように、ロック機構本体４１を容器本体２の開口部２ａから離れる方向に回動させて略水平にした後、蓋３の切欠部３２ａが設けられた部分を係合凹部２１ａに係合させることにより、スカート部３２の外壁面がロック機構本体４１の長辺部分４１ａに支持され、容器本体２の外壁面に沿うように、蓋３が立設状態で保持されるものである（図４および図６参照）。
【００１４】
この結果、蓋３を壁に立て掛けたり、ロック機構４に吊り下げる必要がなく、風などで簡単に蓋３が倒れたり、地面に落下することがないものである。
【００１５】
【発明が解決しようとする課題】
ところで、前述した先行発明のごみ容器においては、ロック機構本体の短辺部分を容器本体の外壁面に直接当接させることにより、ロック機構本体を略水平に支持することから、その回転中心はロック機構本体の肉厚によって自動的に決定される。したがって、ごみ容器が大型化すると、すなわち、蓋が大きくなると、充分な掛かり代を確保することができず、蓋を保持できない場合がある。また、蓋の重量が大きくなると、容器本体の肉厚が薄い場合には容器本体が陥没して撓むなどの欠点がある。
【００１６】
さらに、容器本体と蓋とは、輸送効率を考慮して別個に輸送され、あるいは、保管されることから、蓋のない状態では、ロック機構本体は、容器本体の開口部から離れる方向に回動して容器本体の外壁面に当接し、外方に張り出した状態となっている。このように外方に張り出したロック機構本体に外力が作用すると、例えば、容器本体が倒れて床面にロック機構本体が衝突すると、ロック機構本体が外れたり、また、輸送時などのロック機構本体の振動などで容器本体の表面に傷をつけるなどの問題がある。このため、ロック機構本体は、略垂直な状態で容器本体に粘着テープを介して止められているが、このような貼着作業は、１個ずつ手作業で行わなければならず、煩雑な作業を強いるものであった。
【００１７】
本発明は、このような問題点に鑑みてなされたもので、蓋の大きさが変化しても容器本体を損傷させることなくロック機構本体を略水平に支持することのできるごみ容器を提供するものである。
【００１８】
また、本発明は、蓋のない容器本体に対してロック機構本体を略垂直に支持することのできるごみ容器を提供するものである。
【００１９】
【課題を解決するための手段】
前述した目的を達成するために、本発明のうちで請求項１記載の発明は、上方に開口部を有するとともに、この開口部近傍の外壁面に対向してそれぞれ一対の軸受部が形成された容器本体と、この容器本体の開口部を覆う蓋本体および蓋本体の周縁に連続して形成され、容器本体の開口部外壁面を外側から囲繞するスカート部からなる蓋と、容器本体の軸受部に回動自在に軸支されたロック機構本体およびロック機構本体に形成され、容器本体の開口部を塞いだ蓋の周縁の一部を係止して蓋を閉鎖状態に固定する係止爪からなるロック機構とを備えたごみ容器において、少なくとも一方の軸受部は切り欠かれて略垂直な当接面および略水平な係合面が形成され、一方、ロック機構本体には、軸受部の当接面に当接可能な係合突起が設けられ、ロック機構本体を容器本体の開口部から離れる方向に回動させた際、ロック機構本体の係合突起と軸受部の当接面とが当接してロック機構本体を略水平状態に支持することを特徴とするものである。
【００２０】
また、請求項３記載の発明は、上方に開口部を有するとともに、この開口部近傍の外壁面に対向してそれぞれ一対の軸受部が形成された容器本体と、この容器本体の開口部を覆う蓋本体および蓋本体の周縁に連続して形成され、容器本体の開口部外壁面を外側から囲繞するスカート部からなる蓋と、容器本体の軸受部に回動自在に軸支されたロック機構本体およびロック機構本体に形成され、容器本体の開口部を塞いだ蓋の周縁の一部を係止して蓋を閉鎖状態に固定する係止爪からなるロック機構とを備えたごみ容器において、ロック機構本体には軸受部の前面に当接可能な係合突起が設けられ、ロック機構本体を容器本体の開口部方向に回動させた際、ロック機構本体の係合突起と軸受部の前面とが当接してロック機構本体を略垂直状態に支持することを特徴とするものである。
【００２１】
【発明の実施の形態】
以下、本発明の実施の形態を図示例と共に説明する。
【００２２】
なお、図４乃至図７に示した先行発明のごみ容器の部材と同一の部材には、同一の符号を用いるものとする。
【００２３】
図１は、本発明のごみ容器１が示されており、このごみ容器１の容器本体２における補強リブ２１の前方下部は、切り欠かれて略垂直な当接面２１１と略水平な係合面２１２が形成されており、この係合面２１２の前端には、係止部２１２ａが下方に向けて突出して形成されている。
【００２４】
一方、ロック機構４におけるロック機構本体４１の短辺部分４１ｂの左右両端面には、係合突起４１１が外方に向けて突出して形成されており、この係合突起４１１は、前述した補強リブ２１の当接面２１１に当接できるようになっている。この当接状態では、ロック機構本体４１の長辺部分４１ａは、地面に対して５〜７°傾斜した略水平状態となるように設定されている。また、係合突起４１１の幅は、係合面２１２の長さよりも小さく設定され、係合突起４１１が補強リブ２１の当接面２１１に当接した場合、係止部２１２ａは係合突起４１１を越えて前方に位置しており、蓋３のスカート部３２が入り込むことができるようになっている。
【００２５】
さらに、係合突起４１１には、軸４３を中心とする円弧面４１１ａが形成されており、この円弧面の回転半径は、軸４３から係合面２１２の前端までの距離よりも若干小さく設定されている。したがって、ロック機構本体４１をその係合突起４１１と補強リブ２１の当接面２１１との当接状態から容器本体２の開口部２ａ方向に軸４３回りに回動させると、係合突起４１１は、円弧面４１１ａを介して補強リブ２１の係合面２１２の前端を強制的に乗り越えることができ、その際、補強リブ２１の前面に係合突起４１１の円弧面４１１ａが当接するようになっている。
【００２６】
したがって、容器本体２において、ロック機構本体４１の係合突起４１１と補強リブ２１の当接面２１１とが当接した状態では、ロック機構本体４１の長辺部分４１ａが若干上向きの略水平状態に支持されており、補強リブ２１の係合面２１２に形成された係止部２１２ａが係合突起４１１を越えて前方に位置している。ここで、蓋３のスカート部３２の端縁を係合面２１２に当ててその外周面をロック機構本体４１の長辺部分４１ａに支持させると、蓋３は立設状態で保持される。この際、蓋３のスカート部３２の端縁が係合面２１２の係止部２１２ａに係止され、蓋３が係合面２１２から離脱するのが防止されている。
【００２７】
しかも、ロック機構本体４１に蓋３を保持させる場合、補強リブ２１（当接面２１１）と係合突起４１１とが当接することにより、容器本体２に蓋３の負荷が直接作用することはなく、蓋３が大きくなっても容器本体２に影響を与えることはなく、また、蓋３の大きさに合わせて軸４３の位置を設定できることから、スカート部４３の充分な掛かり代を確保することができる。
【００２８】
一方、容器本体２を蓋３と別個に輸送する場合などにおいては、ロック機構本体４１を容器本体２の開口部２ａ側に立ち上げて回動させることにより、係合突起４１１は、円弧面４１１ａを介して補強リブ２１の係合面２１２前端を乗り越えることができ、その円弧面４１１が補強リブ２１の前面に当接する。この結果、ロック機構本体４１は、図３に示すように、略垂直状態に支持されてロック機構本体４１が側方に張り出すことはなく、ロック機構本体４１が側方に張り出すことに伴うロック機構本体４１の離脱やその振動などによる容器本体２の傷付きを防止することができるとともに、粘着テープによる貼着作業を解消することが可能となる。
【００２９】
このように、ロック機構本体４１を、係合突起４１１が補強リブ２１の当接面２１１に当接した略水平状態と、係合突起４１１が補強リブ２１の前面に当接した略垂直状態とに選択的に支持することができ、ロック機構本体４１を略水平状態に支持して蓋３を立設状態で保持することが可能となる他、ロック機構本体４１を略垂直状態に支持して輸送し、あるいは、保管することが可能となる。
【００３０】
【発明の効果】
以上のように本発明の請求項１記載の発明によれば、ごみ容器を構成する容器本体に形成された少なくとも一方の軸受部には、略垂直な当接面および略水平な係合面が形成され、容器本体に回動自在に軸支されたロック機構本体には、軸受部の当接面に当接可能な係合突起が設けられ、ロック機構本体を容器本体の開口部から離れる方向に回動させた際、ロック機構本体の係合突起と軸受部の当接面とが当接してロック機構本体を略水平状態に支持することにより、蓋の重量を直接容器本体が受けることがなく、蓋の大きさが変化しても容器本体を損傷させることなくロック機構本体を略水平に支持することができる。
【００３１】
また、請求項３記載の発明によれば、ごみ容器を構成する容器本体に回動自在に軸支されたロック機構本体には、容器本体に形成された軸受部の前面に当接可能な係合突起が設けられ、ロック機構本体を容器本体の開口部方向に回動させた際、ロック機構本体の係合突起と軸受部の前面とが当接してロック機構本体を略垂直状態に支持することにより、輸送時や保管時において、粘着テープによる貼着作業なしにロック機構本体が外方に張り出すことがなく、ロック機構本体が外方に張り出すことに伴うロック機構本体の離脱や容器本体の傷付きを確実に防止することができる。
【図面の簡単な説明】
【図１】
本発明のごみ容器の要部を示す斜視図である。
【図２】
図１のごみ容器の要部を示す正面図である。
【図３】
図１のごみ容器において、ロック機構本体を略垂直に支持した状態を示す要部の正面図である。
【図４】
先行発明のごみ容器において、蓋を開放させた状態を一部破断して示す正面図である。
【図５】
図４のごみ容器において、蓋を開放した場合のロック機構部分を示す斜視図である。
【図６】
図４のＡ部拡大図である。
【図７】
図４のごみ容器の蓋の部分斜視図である。
【図８】
従来のごみ容器を一部破断して示す正面図である。
【図９】
図８のごみ容器のロック機構に蓋を吊り下げた状態を一部破断して示す正面図である。
【符号の説明】
１  ごみ容器
２  容器本体
２１  軸受部（補強リブ）
２１１  当接面
２１２  係合面
２１２ａ  係止部
３  蓋
３２  スカート部
４  ロック機構
４１  ロック機構本体
４１１  係合突起
４２  係止爪
４３  軸
【図１】
0003542862.tif 000002
【図２】
0003542862.tif 000003
【図３】
0003542862.tif 000004
【図４】
0003542862.tif 000005
【図５】
0003542862.tif 000006
【図６】
0003542862.tif 000007
【図７】
0003542862.tif 000008
【図８】
0003542862.tif 000009
【図９】
0003542862.tif 000010